(57)【要約】【課題】  ＴＶ電話着信時に、ユーザがこの着信に応答することができない場合に、ユーザに対して何等の操作を要求することなく相手方にその旨を通知することができるようにしたＴＶ電話機を提供する。【解決手段】  ＴＶ電話着信の際に、制御部１０３のＣＰＵ１０４は、現在時刻が、メモリ１０５内のスケジュールに予定が登録されている日時に相当するかどうかを調べ、相当する場合には、ＴＶ電話着信動作を行うことなく、自動的に相手方へその旨通知するようにする。よって、ユーザに対して特別の操作を要求することがない。【選択図】      図１
2007013355.tif 000002
【特許請求の範囲】
【請求項１】
テレビ電話機能を有する携帯端末であって、スケジュールデータに予定が登録されている日時にテレビ電話着信があった場合に、前記テレビ電話着信の動作を禁止して、着信しない旨を発信側へ通知する制御手段を含むことを特徴とする携帯端末。
【請求項２】
前記制御手段は、前記テレビ電話着信がスケジュールデータに予定が登録されていない日時にあった場合に、着信中にカメラを起動してその撮影映像を表示部へ表示することを特徴とする請求項１記載の携帯端末。
【請求項３】
前記制御手段は、予め設定されているユーザ操作に応答して前記カメラの起動をなすことを特徴とする請求項２記載の携帯端末。
【請求項４】
前記制御手段は、カメラの起動を所定時間遅延し、その間において前記テレビ電話の相手電話番号が登録されているか否かを判定し、その判定結果に応じて前記カメラの起動制御をなすことを特徴とする請求項２または３記載の携帯端末。
【請求項５】
テレビ電話機能を有する携帯端末の動作制御方法であって、
スケジュールデータに予定が登録されている日時にテレビ電話着信があった場合に、前記テレビ電話着信の動作を禁止する第一のステップと、
着信しない旨を発信側へ通知する第二のステップとを含むことを特徴とする動作制御方法。
【請求項６】
前記テレビ電話着信がスケジュールデータに予定が登録されていない日時にあった場合に、着信中にカメラを起動してその撮影映像を表示部へ表示する第三のステップを、更に含むことを特徴とする請求項５記載の動作制御方法。
【請求項７】
前記第三のステップにおいて、予め設定されているユーザ操作に応答して前記カメラの起動をなすことを特徴とする請求項６記載の動作制御方法。
【請求項８】
前記カメラの起動を所定時間遅延し、その間において前記テレビ電話の相手電話番号が登録されているか否かを判定する第四のステップと、その判定結果に応じて前記カメラの起動制御をなす第五のステップとを、更に含むことを特徴とする請求項６または７記載の動作制御方法。
【請求項９】
テレビ電話機能を有する携帯端末の動作をコンピュータに実行させるためのプログラムであって、
スケジュールデータに予定が登録されている日時にテレビ電話着信があった場合に、前記テレビ電話着信の動作を禁止する処理と、
着信しない旨を発信側へ通知する処理とを含むことを特徴とするプログラム。
【発明の詳細な説明】
【技術分野】
【０００１】
本発明は携帯端末及びその動作制御方法並びにプログラムに関し、特にテレビ電話機能を有する携帯電話機及びその動作制御方法並びにプログラムに関するものである。
【背景技術】
【０００２】
近年の携帯電話機の多機能化に伴って、テレビ電話（以下、ＴＶ電話と称す）機能を搭載しているものがある。このようなＴＶ電話機能を有する携帯電話機において、ＴＶ電話の着信があった場合、ユーザの状況によっては、このＴＶ電話着信に対して応答できないことがある。例えば、仕事中の打合せや会議中にＴＶ電話の着信があった場合には、当該着信には出られない。そこで、ＴＶ電話着信を受けたユーザが相手側に着信応答できない旨の通知を行うために、留守番電話機能を動作させるなどの操作を行うことが必要になる。
【０００３】
また、ＴＶ電話では、映像の送受信を行うために、ＴＶ電話開始時に、送信用のカメラによる映像をユーザ自身の携帯電話機の表示部に表示し事前に送信用のカメラで撮影した映像が確認できるようになっている（特許文献１参照）。なお、このとき、相手側には代替画像やキャラクタ画像などを送信するようになっている。
【特許文献１】特開２００５−１２４１６１号公報
【発明の開示】
【発明が解決しようとする課題】
【０００４】
上述した如く、ＴＶ電話機能を有する携帯電話機において、ＴＶ電話着信時に、ユーザの状況によってこの着信に対して応答できない場合に、ユーザは着信できない旨を相手方に通知するために、留守番電話機能などの操作を必要とするという欠点がある。また、ＴＶ電話開始時に送信用カメラで撮影した映像を、表示部に表示させて事前にユーザが確認する機能を備えているが、このような機能は、ＴＶ電話が開始した状態で行われるようになっており、ＴＶ電話開始時では、送信用のカメラでの映像を相手方に送信できず、音声のみの通信となってしまうという欠点がある。
【０００５】
本発明の目的は、ＴＶ電話着信時に、ユーザがこの着信に応答することができない場合に、ユーザに対して何等の操作を要求することなく相手方にその旨を通知することができるようにしたＴＶ電話機を提供することである。
【０００６】
本発明の他の目的は、ＴＶ電話着信の動作に際して、着信中に送信用カメラ起動を行ってその映像を表示することにより、送信用の映像の事前確認を着信中に行うことができるようにしたＴＶ電話機を提供することである。
【課題を解決するための手段】
【０００７】
本発明による携帯端末は、テレビ電話機能を有する携帯端末であって、スケジュールデータに予定が登録されている日時にテレビ電話着信があった場合に、前記テレビ電話着信の動作を禁止して、着信しない旨を発信側へ通知する制御手段を含むことを特徴とする。
【０００８】
本発明による携帯端末の動作制御方法は、テレビ電話機能を有する携帯端末の動作制御方法であって、スケジュールデータに予定が登録されている日時にテレビ電話着信があった場合に、前記テレビ電話着信の動作を禁止する第一のステップと、着信しない旨を発信側へ通知する第二のステップとを含むことを特徴とする。
【０００９】
本発明によるプログラムは、テレビ電話機能を有する携帯端末の動作をコンピュータに実行させるためのプログラムであって、スケジュールデータに予定が登録されている日時にテレビ電話着信があった場合に、前記テレビ電話着信の動作を禁止する処理と、着信しない旨を発信側へ通知する処理とを含むことを特徴とする。
【発明の効果】
【００１０】
本発明によれば、ＴＶ電話着信時が、スケジュール機能に予定が登録されている日時に相当する場合には、ＴＶ電話着信動作を行うことなく、相手方へその旨通知するようにしたので、ユーザに対して特別の操作を要求することがないという効果がある。
【００１１】
また、本発明によれば、ＴＶ電話着信時が、スケジュール機能に予定が登録されている日時に相当しない場合には、着信中に送信用カメラの映像の事前確認をできるようにしたので、ＴＶ電話開始時には、映像と音声とによるＴＶ電話機能が果せるという効果がある。
【発明を実施するための最良の形態】
【００１２】
以下に、本発明の実施の形態について図面を用いて説明する。図１は本発明の実施の形態の携帯電話機の概略ブロック図である。図１を参照すると、本発明によるＴＶ電話機能を有する携帯電話機は、アンテナ１０１と、無線部１０２と、ＣＰＵ１０４及びメモリ１０５を有する制御部１０３と、ＬＣＤ表示部１０６と、操作部１０７と、カメラ部１０８と、音声処理部１１０と、レシーバ１１１と、マイク１１２とを有している。
【００１３】
本携帯電話機は、制御部１０３の制御により、無線部１０２及びアンテナ１０１を介して図示せぬ基地局と通信を行うものである。無線部１０２は、アンテナ１０１により受信された信号から希望周波数の信号を選択して周波数変換を行い、増幅、復調して受信データを制御部１０３へ出力するものである。制御部１０３は、この受信データを処理して音声信号を音声処理部１１０へ出力し、音声処理部１１０はこの音声信号をアナログ信号に変換してレシーバ１１１を介して音声出力を行うものである。
【００１４】
マイク１１２より入力された音声は音声処理部１１０においてデジタル信号に変換され、制御部１０３においてその信号が送信データとして処理される。この送信データは無線部１０２において変調されて規定の周波数の搬送波とされて増幅され、アンテナ１０１より送信されることになる。
【００１５】
制御部１０３は操作部１０７を監視して、ユーザの操作を検出しかつ判断して、当該操作に基づく処理を行うものであり、基本的にＣＰＵ１０４とメモリ１０５とを有し、メモリ１０５に格納されているプログラムの手順に従ってＣＰＵ１０４が動作して各種の処理を行うコンピュータとして動作する。メモリ１０５は上記のプログラムの他に、電話帳やスケジュールなどのユーザによる登録データをも記録しているものとする。ＬＣＤ表示部１０６は制御部１０３の制御に基づいて各種表示をなすものである。カメラ部１０８は静止画や動画などの撮影データを制御部１０３へ供給するものである。
【００１６】
図２は本発明の一実施の形態の動作を示すフローチャートである。図２において、ＴＶ電話着信があると、制御部１０３は受信データを基にＴＶ電話の着信処理を開始する（ステップＳ３０１）。制御部１０３は現在の時刻とメモリ１０５に保存してあるスケジュールデータとを比較し、スケジュールの予定データに登録されている開始時刻から終了時刻までに、現在の時刻が含まれているかどうか確認する（ステップＳ３０２）。現在の時刻が含まれていれば、相手側に対して着信を受けられない旨の通知を行い、ＴＶ電話着信履歴をメモリ１０５に残して待ち受け画像を継続する（ステップＳ３１０）。
【００１７】
ステップＳ３０２において、現在の時刻がスケジュールデータに登録されている開始時刻から終了時刻までに含まれていなければ、制御部１０３は受信データに含まれている発信者電話番号を取得し、電話帳にこれが登録されていなければ、名前も含めてＴＶ電話着信中の表示データを生成して、ＬＣＤ表示部１０６により表示を行う（ステップＳ３０３）。制御部１０３は、送信映像をＴＶ電話着信中に表示するか否かを、メモリ１０５に保存されている設定情報から判断する（ステップＳ３０４）。
【００１８】
このメモリ１０５の設定情報の内容の一例を、図３に示している。図３において、設定内容が項目３の「送信映像を表示しない」となっていれば、「ＴＶ電話着信中に映像信号を表示しない」という動作を行うことを意味する。設定内容が項目２の「映像を表示する＋ユーザ操作あり」となっていれば、「ＴＶ電話着信中に送信映像を表示する。送信映像はユーザの操作により開始する」という動作に従うことになる。設定内容が項目１の「映像を表示する＋ユーザ操作なし」となっていれば、「ＴＶ電話着信中に送信映像を表示する。送信映像はＴＶ着信時にユーザ操作なしで開始する」という動作に従うことになる。項目１〜３の設定は、予めユーザの選択操作によるものとする。
【００１９】
ＴＶ電話着信中に送信映像を確認する（表示する）場合、すなわち図３の設定項目１，２の場合、制御部１０３は、ユーザの単一の操作（予め定められた単一操作）を必要とするかどうかを、メモリ１０５の設定内容から判断する（ステップＳ３０５）。ユーザの単一操作により送信映像の表示を行う場合、すなわち図３の設定項目２の場合、操作部１０７からの信号（ユーザ操作による操作信号）を待ち、当該信号が検出された後に、送信映像の表示処理を開始する（ステップＳ３０６）。
【００２０】
図４の中央には、このＴＶ電話着信中の表示部１０６における表示映像の例が示されており、図４の左側には待ち受け中の表示部１０６の表示例が示されている。このＴＶ電話着信中に、送信映像を表示部１０６に表示するために、制御部１０３はＴＶ電話着信中状態を継続しつつ、カメラ部１０８に対して起動制御と撮影制御とを行うことは勿論である。カメラ部１０８は撮影したデータを制御部１０３へ渡し、制御部１０３は着信番号の表示に加えて、撮影データをも表示すべく撮影データを映像データに変換してＬＣＤ表示部１０６へ出力する。ＬＣＤ表示部１０６はこのデータを、図４の中央に示す如く表示することになる（ステップＳ３０７）。
【００２１】
ユーザが着信応答操作を行うまでは、ＴＶ電話着信中を継続するようになっており、制御部１０３は送信用カメラで撮影した映像を継続表示することになる。ユーザが着信応答操作を行うと、制御部１０３は操作部１０７からの操作信号を検出して着信応答処理を行う（ステップＳ３０８）。そして、音声データ及び映像データを送受信して、ＴＶ電話通話中の状態に移行する（ステップＳ３０９）。このときの表示部の表示例が図４の右側に示されている。
【００２２】
なお、ステップＳ３０４において、ＴＶ電話着信中に送信映像を確認する必要がない場合（図３の設定項目３の場合）には、直ちにステップＳ３０８，Ｓ３０９へと移行することになる。また、ステップＳ３０５において、ユーザの単一操作が不要の場合（図３の設定項目１の場合）には、直ちにステップＳ３０７へ移行する。
【００２３】
図５は本発明の他の実施の形態の動作を示すフローチャートであり、図２と同等ステップは同一符号により示されている。本実施の形態においては、ＴＶ電話に対して、１コールで電話を切ってしまういわゆる「ワン切り」と称される迷惑電話に対処するためのものである。ＴＶ電話着信中に、送信映像を確認のために表示すべくカメラを起動するようになっていることは先述したとおりであるが、「ワン切り」という迷惑電話を受けると、ＴＶ電話着信に要する電流に加えて、カメラの起動に要する電流までも浪費してしまうことになる。
【００２４】
そこで、本実施の形態では、ＴＶ電話着信時において、電話帳に登録されていない電話番号からの着信であれば、カメラの起動を数秒間遅らせるようにして、無駄な電流消費を抑えるようにしている。この場合、カメラの起動を遅延させる時間は、ユーザの操作により設定できるようにし、その設定時間はメモリに保存されるものとする。
【００２５】
図５において、図２のフローチャートと異なる部分について述べると、点線で囲まれたステップＳ５１０〜Ｓ５１３の動作が、図２のそれに追加されている。すなわち、ユーザの操作なしで送信映像の表示を行う場合（図３の設定項目１の場合）において、制御部１０３は発信電話番号をメモリから読出し、電話帳に記録されている電話番号と比較照合する（ステップＳ５１０）。発信電話番号が電話帳に登録されていない場合には、制御部１０３はメモリ１０５に設定されている遅延時間を読出し、タイマ機能を用いて送信映像を確認する処理を待ち状態とする（ステップＳ５１１）。
【００２６】
制御部１０３は、遅延時間が経過したことを通知するタイマによる割り込みを検出すると、ＴＶ電話着信が継続されているかどうか確認し（ステップＳ５１２）、継続している場合には、カメラ起動を行い（ステップＳ３０７）、継続していない場合には、着信処理を停止して待ち受け画面へ移行する（ステップＳ５１３）。こうすることにより、上述したいわゆる「ワン切り」というＴＶ電話の迷惑電話に対しては、カメラ起動が行われなくなって、無駄な電力の消費が抑制されるのである。
【００２７】
なお、上記の例においては、携帯電話機について説明したが、ＴＶ電話機能を有する携帯端末であれば本発明は適用可能である。また、図２及び図５のフローチャートは、その動作手順をプログラムとしてメモリ部に格納しておき、これを制御部のＣＰＵ（コンピュータ）により読み取らせて実行できることは明らかである。
【図面の簡単な説明】
【００２８】
【図１】本発明の実施の形態のＴＶ電話機能を有する携帯電話機の概略機能ブロック図である。
【図２】本発明の一実施の形態の動作を示すフローチャートである。
【図３】送信映像確認のためのメモリ設定内容と動作とを対応して示した図である。
【図４】本発明の実施の形態におけるＴＶ電話着信時のＬＣＤ表示部の表示遷移例を示す図である。
【図５】本発明の他の実施の形態の動作を示すフローチャートである。
【符号の説明】
【００２９】
１０１  アンテナ
１０２  無線部
１０３  制御部
１０４  ＣＰＵ
１０５  メモリ
１０６  ＬＣＤ表示部
１０７  操作部
１０８  カメラ部
１１０  音声処理部
１１１  レシーバ
１１２  マイク
【図１】
2007013355.tif 000003
【図２】
2007013355.tif 000004
【図３】
2007013355.tif 000005
【図４】
2007013355.tif 000006
【図５】
2007013355.tif 000007